(57)【要約】【課題】包装資材の減量化及び包装工程の簡素化が実現できるとともに、ミシン目を介して包装袋内へ菌が混入することを防止できるフィルム包装体を提供する。【解決手段】フィルム包装体１０は、可撓性フィルムから形成され、被包装物Ｐを収容可能な包装袋２０と、包装袋２０の上面２３に設けられ、包装袋２０の第１の方向に延びるミシン目２１と、ミシン目２１に沿って帯状に形成され、ミシン目２１を塞ぐ帯状の目張り用シール３０と、目張り用シール３０と包装袋２０の間にミシン目２１を囲うように形成されるとともに目張り用シール３０を包装袋２０に剥離可能に接着する環状接着部４０とを、備える。【選択図】図３
2016175699.tif 000002
【特許請求の範囲】
【請求項１】
フィルム包装体であって、
可撓性フィルムから形成され、被包装物を収容可能な包装袋と、
前記包装袋の上面に設けられ、前記包装袋の第１の方向に延びるミシン目と、
前記ミシン目に沿って帯状に形成され、前記ミシン目を塞ぐ目張り用シールと、
前記目張り用シールと前記包装袋との間に前記ミシン目を囲うように形成されるとともに前記目張り用シールを前記包装袋に剥離可能に接着する環状接着部とを、備えることを特徴とするフィルム包装体。
【請求項２】
前記包装袋が、
前記包装袋の第２の方向に沿って形成される一対のヒートシール部を前記第１の方向の両端に有し、
前記環状接着部が、
前記目張り用シールの前記第２の方向の両端部と前記包装袋を接着する一対の粘着層と、
前記目張り用シールの前記第１の方向の両端部と前記ヒートシール部とを前記ヒートシール部の溶着時における熱により溶着する一対の溶着層と、を有することを特徴とする請求項１に記載のフィルム包装体。
【請求項３】
前記目張り用シールが、前記ヒートシール部に溶着されない摘まみ部を前記第１の方向の両端部に有することを特徴とする請求項２に記載のフィルム包装体。
【請求項４】
前記目張り用シールに設けられ、前記被包装物が滅菌済みであることを表示する表示部をさらに備えることを特徴とする請求項１から３のいずれか１項に記載のフィルム包装体。
【請求項５】
前記表示部が、放射線により感応して発色するインクで構成されることを特徴とする請求項４に記載のフィルム包装体。
【請求項６】
２本の前記ミシン目を備え、
前記包装袋が、包装袋本体と、２本の前記ミシン目の間に設けられ、前記目張り用シールが剥離されることで前記目張り用シールとともに前記包装袋本体から分離される分離部と、を有することを特徴とする請求項１から５のいずれか１項に記載のフィルム包装体。
【請求項７】
前記被包装物がポップアップ式に折り畳まれかつ滅菌された衛生用紙であって、前記衛生用紙がペーパーハンドタオル、ティシュペーパー、キッチンペーパー、ペーパーふきん及びワイパーからなる群から選択される１つであることを特徴とする請求項１から６のいずれか１項に記載のフィルム包装体。
【発明の詳細な説明】
【技術分野】
【０００１】
本発明は、フィルム包装体に関する。
【背景技術】
【０００２】
従来、可撓性フィルムで形成され、ペーパーハンドタオルなどの被包装物を収容する包装袋を備えたフィルム包装体が知られている。（例えば、特許文献１を参照）。
【０００３】
特許文献１には、袋本体の表面の中央部に表面の長手方向に沿ってミシン目が形成された袋入り家庭用薄葉紙が開示される。この袋入り家庭用薄葉紙によれば、使用開始時にミシン目を開口することにより、開口したスリットから収容部内の家庭用薄葉紙を引き出すことができる。
【０００４】
ところで、高い衛生性が被包装物に求められる場合（例えば、被包装物が滅菌済であり、包装後にその滅菌状態の維持が求められる場合）、特許文献１の袋入り家庭用薄葉紙においては、ミシン目を介して袋本体内へ菌が外部から混入する構造であるため、密封性が不十分である。
【０００５】
このため、高い衛生性が被包装物に求められる場合、例えば、被包装物を帯状の包装体で束ねた後、さらに袋状のフィルムで包装して密封し、これにより、開封までの間の被包装物の無菌性を確保することが行われている。しかしながら、この場合、被包装物を二重に包装するため、包装資材の使用量の多くなることに加え、少なくとも２つの包装工程が必要となり製造に手間が掛かるという問題があった。
【先行技術文献】
【特許文献】
【０００６】
【特許文献１】特開２００８−１８３０３４号公報
【発明の概要】
【発明が解決しようとする課題】
【０００７】
本発明は、このような事情に鑑みてなされたものであり、包装資材の減量化及び包装工程の簡素化が実現できるとともに、ミシン目を介して包装袋内へ菌が混入することを防止できるフィルム包装体を提供することを目的とする。
【課題を解決するための手段】
【０００８】
上記課題を解決するために、本発明は、以下の構成によって把握される。
（１）本発明は、フィルム包装体であって、可撓性フィルムから形成され、被包装物を収容可能な包装袋と、前記包装袋の上面に設けられ、前記包装袋の第１の方向に延びるミシン目と、前記ミシン目に沿って帯状に形成され、前記ミシン目を塞ぐ目張り用シールと、前記目張り用シールと前記包装袋との間に前記ミシン目を囲うように形成されるとともに前記目張り用シールを前記包装袋に剥離可能に接着する環状接着部とを、備えることを特徴とする。
【０００９】
（２）本発明は、（１）の構成において、前記包装袋が、前記包装袋の第２の方向に沿って形成される一対のヒートシール部を前記第１の方向の両端に有し、前記環状接着部が、前記目張り用シールの前記第２の方向の両端部と前記包装袋を接着する一対の粘着層と、前記目張り用シールの前記第１の方向の両端部と前記ヒートシール部とを前記ヒートシール部の溶着時における熱により溶着する一対の溶着層と、を有することを特徴とする。
【００１０】
（３）本発明は、（２）の構成において、前記目張り用シールが、前記ヒートシール部に溶着されない摘まみ部を前記第１の方向の両端部に有することを特徴とする。
【００１１】
（４）本発明は、（１）から（３）のいずれか１つの構成において、前記目張り用シールに設けられ、前記被包装物が滅菌済みであることを表示する表示部をさらに備えることを特徴とする。
【００１２】
（５）本発明は、（４）の構成において、前記表示部が、放射線により感応して発色するインクで構成されることを特徴とする。
【００１３】
（６）本発明は、（１）から（５）のいずれか１つの構成において、２本の前記ミシン目を備え、前記包装袋が、包装袋本体と、２本の前記ミシン目の間に設けられ、前記目張り用シールが剥離されることで前記目張り用シールとともに前記包装袋本体から分離される分離部と、を有することを特徴とする。
【００１４】
（７）本発明は、（１）から（６）のいずれか１つの構成において、前記被包装物がポップアップ式に折り畳まれかつ滅菌された衛生用紙であって、前記衛生用紙がペーパーハンドタオル、ティシュペーパー、キッチンペーパー、ペーパーふきん及びワイパーからなる群から選択される１つであることを特徴とする。
【発明の効果】
【００１５】
本発明によれば、包装資材の減量化及び包装工程の簡素化が実現できるとともに、ミシン目を介して包装袋内へ菌が混入することを防止できるフィルム包装体を提供することができる。
【図面の簡単な説明】
【００１６】
【図１】本発明の実施形態に係るフィルム包装体の斜視図である。
【図２】図１のＡ−Ａ線断面図である。
【図３】図１に示されるフィルム包装体の平面図である。
【図４】図２のＢ部拡大図である。
【図５】図３のＣ−Ｃ線断面図である。
【図６】実施形態に係る環状接着部を模式的に示すフィルム包装体の平面図である。
【図７】実施形態に係るフィルム包装体の開封の仕方を説明する図である。
【図８】実施形態に係るフィルム包装体において被包装物を取り出す様子を示す図である。
【図９】他の実施形態に係るフィルム包装体の平面図である。
【図１０】他の実施形態に係るフィルム包装体の開封の仕方を説明する図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
【００１８】
（フィルム包装体の全体構成）
まず、フィルム包装体の全体構成を図１に基づいて説明する。
図１に示すように、フィルム包装体１０は、被包装物Ｐを収容可能な包装袋２０と、包装袋２０に設けられるミシン目２１と、ミシン目２１を外側から塞ぐ帯状の目張り用シール３０と、目張り用シール３０と包装袋２０の間に設けられる環状接着部４０（図３参照）と、目張り用シール３０に設けられる表示部３１と、を備える。
【００１９】
次に、フィルム包装体１０の各部の構成を図１〜図６に基づいて説明する。
図１に示すように、包装袋２０は、可撓性フィルムから形成され、平面形状が長方形に形成される。包装袋２０は、筒状に形成された可撓性フィルムの内部に被包装物Ｐを収納した状態で、包装袋２０の長手方向Ｘ（第１の方向）の両端が溶着によりシールされるピロー包装体であり、包装袋２０の長手方向Ｘの両端には、包装袋２０の短手方向Ｙ（第２の方向）に沿って一対のヒートシール部２２が形成される。包装袋２０は、マチを有する直方体状に形成されるガセット形状であることから、被包装物Ｐとしての衛生用紙の束を収納するのに好適である。なお、ここでは、平面形状が長方形の包装袋２０を例示したが、包装袋の平面形状は正方形などでもよい。
【００２０】
包装袋２０を構成する可撓性フィルムとしては、ポリエチレン（ＰＥ）樹脂フィルムやポリプロピレン（ＰＰ）樹脂フィルムを好適に用いることができ、その他にも、例えばポリエチレンテレフタレート樹脂フィルムなど、この種の包装袋２０に用いられる一般的なものを使用することができる。可撓性フィルムは、いくつかのフィルムを積層したラミネートフィルムであってもよい。
【００２１】
図２に示すように、被包装物Ｐは、例えば、ポップアップ式に折り畳まれた滅菌済みの衛生用紙であり、全体的には直方体状となっている。被包装物Ｐは、ペーパーハンドタオル、ティシュペーパー、キッチンペーパー、ペーパーふきん及びワイパーからなる群から選択される１つとすることができる。
【００２２】
ポップアップ式について簡単に説明すると、衛生用紙である被包装物Ｐは、上下方向に交互に折り畳まれて重ねられており、１つの衛生用紙を取り出すと、次の衛生用紙の一部が取り出しのための開口２８（図８参照）から引き出される。衛生用紙をポップアップ式に折り畳むには、大巾抄造の原紙を必要に合わせてプライアップ（２枚重ね）を行い、次いで所定の巾に切断した多数の細巾ロールを組合せ、折り加工を行ってから切断するマルチフォールディング方式によってもよいし、大巾抄造の原紙を必要に応じてプライアップを行い、ロールを所定の巾に切断した後、１又は２本の細巾ロールで折り加工するインターフォールディング方式によってもよい。
【００２３】
図３に示すように、ミシン目２１は、包装袋２０の上面２３に設けられ、短手方向Ｙの中央を長手方向Ｘに沿って延びる。ミシン目２１の長さは、包装袋２０に求められる機能に応じて適宜設定されるが、この例では、上面２３の長辺に相当する長さに設定され、長手方向Ｘにおける上面２３の全体にわたって形成される。
【００２４】
目張り用シール３０は、帯状のシールであって、ミシン目２１を外側から塞ぐようにしてミシン目２１に沿って上面２３に貼り付けられる。目張り用シール３０は、上面２３側から包装袋２０の短側面２５側に延在し、その端部３２ｂがヒートシール部２２の上側に重なっている。
【００２５】
表示部３１は、被包装物Ｐが滅菌済みであることを表示する機能（例えば、「滅菌済」の文字を表示する機能）を備える。表示部３１は、例えば、塗布したときは透明であるが、放射線が照射されると放射線に感応して発色するインクで構成することができる。
【００２６】
被包装物Ｐの滅菌には、例えば、放射線による滅菌を用いることができる。この場合、被包装物Ｐをフィルム包装体１０で包装した後に、フィルム包装体１０ごとに、又は、複数のフィルム包装体１０を収容した外装段ボールごとに、放射線照射装置を通過させることにより、被包装物Ｐを滅菌することができ、しかも放射線が照射されると放射線に感応して発色するインクを用いることにより、目張り用シール３０の表示部３１において「滅菌済」の文字を、滅菌と同時に浮かび上がらせることができる。
【００２７】
環状接着部４０は、ミシン目２１を囲うように形成されるとともに目張り用シール３０を包装袋２０に剥離可能に接着する。環状接着部４０は、平面視で長手方向Ｘに沿って細長い長方形に形成され、一対の粘着層４１及び一対の溶着層４２により構成される。
【００２８】
図４に示すように、一対の粘着層４１は、ミシン目２１から離間した位置でかつ目張り用シール３０の短手方向Ｙの両端部３２ａに設けられ、長手方向Ｘに沿って延びる。粘着層４１には、目張り用シール３０を包装袋２０に剥離可能に接着する各種の粘着剤を用いることができる。
【００２９】
図５に示すように、溶着層４２は、ヒートシール部２２の溶着時における熱により、目張り用シール３０の両端部３２ｂとヒートシール部２２とを溶着する層である。より具体的には、包装袋２０の連続体において隣接する２つの包装袋２０の境界部分を溶着し切断する際、境界部分におけるフィルムの上側部分２６Ａと下側部分２６Ｂをヒートシーラーで挟んで溶着するが、その際、フィルムの上側部分２６Ａの上に目張り用シール３０の延在した端部３２ｂを重ねるようにする。そして、目張り用シール３０の端部３２ｂ、フィルムの上側部分２６Ａ及び下側部分２６Ｂの３つを重ねた状態で、ヒートシーラーで挟んで溶着する。結果、フィルムの上側部分２６Ａと下側部分２６Ｂが溶着層２７を介して溶着されてヒートシール部２２が形成されると同時に、目張り用シール３０の端部３２ｂとフィルムの上側部分２６Ａが溶着層４２を介して溶着される。なお、目張り用シール３０、フィルムの上側部分２６Ａ及び下側部分２６Ｂの溶着による一体化には、フィルムの上側部分２６Ａと下側部分２６Ｂを十分に溶かし３つの部材をしっかりと溶着させることが望ましい。
【００３０】
さらに、目張り用シール３０には、溶着層４２よりも外側に、ヒートシール部２２に溶着されない摘まみ部３３が設けられる。摘まみ部３３は、目張り用シール３０の端部３２ｂとフィルムの上側部分２６Ａとが部分的に溶着されないようにヒートシーラーを当てる、又は、目張り用シール３０の端部３２ｂとフィルムの上側部分２６Ａとの間に溶着を防止する治具を介在させるなどして、形成することができる。
【００３１】
以上のように構成される環状接着部４０は、一対の粘着層４１及び一対の溶着層４２により、ミシン目２１を囲うように形成される（図６参照）。このような環状接着部４０及び目張り用シール３０によってミシン目２１を覆うことにより、菌がフィルム包装体１０の外部からミシン目２１を通じて内部に混入することが防止される。
【００３２】
次に、フィルム包装体１０の使用方法を図７及び図８に基づいて説明する。
図７に示すように、使用に際しては、まず、摘まみ部３３を捲るようにして指で摘まんで、目張り用シール３０の端部３２ｂをヒートシール部２２から剥離した後、目張り用シール３０を包装袋２０からさらに剥離し、目張り用シール３０を包装袋２０から完全に取り除く。
【００３３】
そして、図８に示すように、ミシン目２１の一部又は全部を破断して開口２８を形成し、この開口２８を通じて、滅菌済みの被包装物Ｐをフィルム包装体１０の中から摘まんで取り出す。なお、フィルム包装体１０の外面を十分に洗浄・殺菌した状態で、未開封のフィルム包装体１０を無菌環境下に持込み、目張り用シール３０の剥離及びミシン目２１の破断の作業を無菌環境下で行えば、開封後であってもフィルム包装体１０に残された被包装物Ｐの滅菌状態を維持することができる。
【００３４】
以上、説明した実施形態の効果について述べる。
フィルム包装体１０によれば、目張り用シール３０により、菌がミシン目２１を介して包装袋２０内へ混入することを防止できる。したがって、二重包装の必要がなくなるため、包装資材の減量化及び包装工程の簡素化が実現できる。
【００３５】
また、フィルム包装体１０では、環状接着部４０により目張り用シール３０を包装袋２０に接着した。
【００３６】
仮に、目張り用シール３０の裏面全体を包装袋２０に粘着剤を用いて接着した場合について考える。この場合、粘着剤の使用量が多くなる。また、ミシン目２１の穴にも粘着剤が付着してしまい、ミシン目２１の穴に付着した粘着剤がミシン目２１の破断に影響を与えるおそれがある。
【００３７】
この点、フィルム包装体１０では、目張り用シール３０の両端部３２ａに設けられる一対の粘着層４１と、目張り用シール３０の両端部３２ｂに設けられる一対の溶着層４２とからなる環状接着部４０により、目張り用シール３０を包装袋２０に接着したので、目張り用シール３０の裏面全体を包装袋２０に粘着剤を用いて接着した場合に比べて、粘着剤の使用量を大幅に削減できるとともに、粘着剤がミシン目２１に付着することも防止できる。
【００３８】
次に、他の実施形態を図９及び図１０に基づいて説明する。なお、前述したフィルム包装体１０（図３参照）と共通する要素には同じ符号を付して、重複する説明を省略することとする。
【００３９】
前述したフィルム包装体１０（図３参照）においては、１本のミシン目２１を備える包装袋２０を例示したが、この他、２本以上のミシン目を包装袋に設けることもできる。
【００４０】
例えば、図９に示すように、このフィルム包装体１０Ｂでは、包装袋２０Ｂが２本のミシン目２１Ｂを備える。包装袋２０Ｂは、包装袋本体２０Ｂ１と、２本のミシン目２１の間に設けられる分離部２０Ｂ２とによって構成される。この分離部２０Ｂ２は、目張り用シール３０の裏面に強固に接着されている。
【００４１】
図１０に示すように、フィルム包装体１０Ｂでは、摘まみ部３３を摘まんで、目張り用シール３０の端部３２ｂをヒートシール部２２から剥離した後、目張り用シール３０を包装袋２０Ｂから剥離すると、２本のミシン目２１Ｂが破断しながら分離部２０Ｂ２が目張り用シール３０とともに包装袋本体２０Ｂ１から分離され、開口２８Ｂが形成される。
【００４２】
このフィルム包装体１０Ｂにおいても、二重包装の必要がなくなるため、包装資材の減量化及び包装工程の簡素化が実現できる。加えて、目張り用シール３０を包装袋２０Ｂから剥離するだけで、ミシン目２１Ｂの破断及び開口２８Ｂの形成を同時に行うことができる。したがって、ミシン目２１Ｂを破断する手間が省けるため、より使い勝手のよいフィルム包装体１０Ｂを提供することができる。
【００４３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４４】
１０…フィルム包装体
１０Ｂ…フィルム包装体
２０…包装袋
２０Ｂ…包装袋
２０Ｂ１…包装袋本体
２０Ｂ２…分離部
２１…ミシン目
２１Ｂ…ミシン目
２２…ヒートシール部
２３…上面
２８…開口
２８Ｂ…開口
３０…目張り用シール
３１…表示部
３２ａ…端部
３２ｂ…端部
３３…摘まみ部
４０…環状接着部
４１…粘着層
４２…溶着層
Ｘ…長手方向（第１の方向）
Ｙ…短手方向（第２の方向）
Ｐ…被包装物（衛生用紙）
【図１】
2016175699.tif 000003
【図２】
2016175699.tif 000004
【図３】
2016175699.tif 000005
【図４】
2016175699.tif 000006
【図５】
2016175699.tif 000007
【図６】
2016175699.tif 000008
【図７】
2016175699.tif 000009
【図８】
2016175699.tif 000010
【図９】
2016175699.tif 000011
【図１０】
2016175699.tif 000012